(57)【要約】 【課題】  発光特性を向上させることができる面光源装置及びこれを有する液晶表示装置が開示されている。【解決手段】  面光源装置は、放電空間を有する光源本体、放電空間を複数の放電領域に分割する複数の空間分割部材、光源本体の両側部に形成されインバータから印加された放電電圧によって放電空間内にプラズマを発生させる第１電極及び各放電領域に対応して配置される第２電極を含む。第２電極は、各放電領域ごとに二つ以上が同じ間隔で配置される。従って、放電領域の間の相互干渉によって発生される偏流現象を除去して発光特性を向上させることができる。【選択図】    図１
2005142152.tif 000002
【特許請求の範囲】
【請求項１】
放電空間を有する光源本体と、
前記光源本体の放電空間内に配置され、前記放電空間を複数の放電領域に分割するために互いに平行に配置される複数の空間分割部材と、
前記空間分割部材の長手方向に垂直な方向に前記光源本体の両側部に形成され、外部から印加された放電電圧によって前記放電空間内にプラズマを発生させる第１電極と、
前記空間分割部材の長手方向に平行な方向に前記各放電領域に対応し配置される第２電極と、を含むことを特徴とする面光源装置。
【請求項２】
前記第２電極は、前記各放電領域ごとに二つ以上が配置され、前記空間分割部材の長手方向に沿って同じ間隔に配列されることを特徴とする請求項１記載の面光源装置。
【請求項３】
前記光源本体は、
第１基板と、
前記第１基板と対向する第２基板と、
前記第１及び第２基板の外郭の間に配置され、前記放電空間を形成する密封部材と、を含むことを特徴とする請求項１記載の面光源装置。
【請求項４】
前記第１電極は、前記第２基板の外側表面に形成されることを特徴とする請求項３記載の面光源装置。
【請求項５】
前記第２電極は、前記第２基板の外側表面に形成されることを特徴とする請求項３記載の面光源装置。
【請求項６】
前記第２電極は、前記各放電領域ごとに二つ以上が配置され、前記空間分割部材の長手方向に沿って同じ間隔に配列されることを特徴とする請求項５記載の面光源装置。
【請求項７】
前記第２電極は、互いに隣接した前記空間分割部材の間に配置され、前記各空間分割部材と同じ離隔距離を有することを特徴とする請求項６記載の面光源装置。
【請求項８】
前記第２電極は、前記第１電極の間の中央部を基準として対称構造を有することを特徴とする請求項６記載の面光源装置。
【請求項９】
前記第２電極は、導電性テープ又は銀ペースト物質で形成されることを特徴とする請求項５記載の面光源装置。
【請求項１０】
前記第１及び第２基板は、互いに向い合う対向面のそれぞれに形成される蛍光層を更に含むことを特徴とする請求項３記載の面光源装置。
【請求項１１】
前記第２基板と前記蛍光層との間に形成される反射層を更に含むことを特徴とする請求項１０記載の面光源装置。
【請求項１２】
前記空間分割部材は、長手方向の両端部のうち、少なくとも一つの端部が前記密封部材と所定距離に離隔されることを特徴とする請求項３記載の面光源装置。
【請求項１３】
放電空間を有する光源本体、前記光源本体の放電空間内に配置され前記放電空間を複数の放電領域に区分する複数の空間分割部材、前記空間分割部材の長手方向に垂直な方向に前記光源本体の両側部に形成され、外部から放電電圧の印加を受ける第１電極及び前記各放電領域ごとに二つ以上が形成され、前記空間分割部材の長手方向に沿って一定間隔に配列される第２電極を含む面光源装置と、
前記面光源装置から出射される光を用いて映像を表示する液晶表示パネルと、
前記面光源装置及び前記液晶表示パネルを収納する収納容器と、を含むことを特徴とする液晶表示装置。
【請求項１４】
前記光源本体は、
第１基板と、
前記第１基板と対向する第２基板と、
前記第１及び第２基板の外郭の間に配置され、前記放電空間を形成する密封部材とを含むことを特徴とする請求項１３記載の液晶表示装置。
【請求項１５】
前記各空間分割部材は、前記第１と第２基板との間に互いに平行に形成され、長手方向の両端部のうち、少なくとも一つの端部が前記密封部材と所定距離に離隔されることを特徴とする請求項１４記載の液晶表示装置。
【請求項１６】
前記第１及び第２電極は、前記第２基板の外側表面に形成されることを特徴とする請求項１５記載の液晶表示装置。
【請求項１７】
前記第２電極は、前記空間分割部材の間に配置され、前記各空間分割部材と同じ離隔距離を有することを特徴とする請求項１６記載の液晶表示装置。
【請求項１８】
前記第２電極は、前記第１電極の間の中央部を基準に対称構造を有することを特徴とする請求項１７記載の液晶表示装置。
【発明の詳細な説明】
【技術分野】
【０００１】
本発明は、面光源装置及びこれを有する液晶表示装置に関し、より詳細には、平板形態の光源本体と光源本体を複数の放電領域に区分するための空間分割部材とを有する面光源及びこれを有する液晶表示装置に関するものである。
【背景技術】
【０００２】
最近、情報処理機器は、多様な形態、多様な機能、更に早くなった情報処理速度を有するよう急速に発展しつつある。このような情報処理装置で処理された情報は電気的な信号形態を有する。従って、使用者は、情報処理装置で処理された情報を肉眼で確認するためにディスプレイ装置を必要とする。
【０００３】
このようなディスプレイ装置のうち、液晶表示装置（Ｌｉｑｕｉｄ  Ｃｒｙｓｔａｌ  Ｄｉｓｐｌａｙ）は、液晶（Ｌｉｑｕｉｄ  Ｃｒｙｓｔａｌ）を利用して映像をディスプレイする平板表示装置の一つであって、他のディスプレイ装置に比べて薄くて軽く、低い消費電力及び低い駆動電圧を有する長所があって、産業全般にかけて広範囲に用いられている。
【０００４】
このような液晶表示装置は、映像を表示するための液晶表示パネルと、前記液晶表示パネルに光を提供するためのバックライトアセンブリーで構成される。
【０００５】
従来のバックライトアセンブリーは、円柱の形状を有する冷陰極線管方式ランプ（ＣＣＦＬ）又はドットの形状を有する発光ダイオード（ＬＥＤ）が主に用いられる。冷陰極線管方式ランプは、輝度が高くて寿命が長く、白熱灯に比べて非常に小さい発熱量を有する長所を有する。一方、発光ダイオードは、小型及び低消費電力の長所を有する。しかし、従来冷陰極線管方式ランプ又は発光ダイオードは、輝度均一性が脆弱な短所を有する。  
【０００６】
従って、冷陰極線管方式ランプ又は発光ダイオードを光源とするバックライトアセンブリーは、輝度均一性を増加させるために導光板（ＬＧＰ）、拡散部材（ｄｉｆｆｕｓｉｏｎ  ｍｅｍｂｅｒ）及びプリズムシート（ｐｒｉｓｍ  ｓｈｅｅｔ）などのような光学部材（ｏｐｔｉｃａｌ  ｍｅｍｂｅｒ）を含む。これによって、冷陰極線管方式ランプ又は発光ダイオードを用いる液晶表示装置は、光学部材による体積、重さ及び製造原価が大きく増加される問題点を有する。
【０００７】
このような問題点を解消するために、最近、平板形態の面光源装置に対する開発が進んでいる。面光源装置は、放電空間を形成する光源本体、前記光源本体の内部に配置され前記放電空間を複数の放電領域に区分するための複数の空間分割部材を含む。また、面光源装置は、前記光源本体の両側部の内部又は外部に形成され、外部から印加された放電電圧によって前記放電空間内にプラズマを発生させるための電極を含む。
【０００８】
しかし、従来の面光源装置は、放電開始時の放電領域の間の相互干渉（ｃｒｏｓｓ  ｔａｌｋ）による偏流現象が発生する。即ち、空間分割部材のエッジ（ｅｄｇｅ）部分に電荷が集中され放電がいずれか一つの放電領域に傾く現象が発生し全面発光を阻害する問題点がある。
【発明の開示】
【発明が解決しようとする課題】
【０００９】
従って、本発明は、このような従来の問題点を勘案したものであって、本発明の第１目的は、放電領域の間の相互干渉によって発生する偏流現象を除去して発光特性を向上させることができる面光源装置を提供することにある。
本発明の第２目的は、前記のような面光源装置を光源とする液晶表示装置を提供することにある。
【課題を解決するための手段】
【００１０】
前述した本発明の第１目的を達成するための面光源装置は、光源本体、空間分割部材、第１電極及び第２電極を含む。
前記光源本体は、平板形態で形成され、内部に放電空間を有する。
前記空間分割部材は、前記光源本体の放電空間内に配置され、前記放電空間を複数の放電領域に区分するために互いに平行に配置される。
【００１１】
前記第１電極は、前記空間分割部材の長手方向と垂直な方向に前記光源本体の両側部に形成され、外部から印加された放電電圧によって放電空間内にプラズマを発生させる。
前記第２電極は、前記空間分割部材の長手方向と平行な方向に前記各放電領域に対応して配置される。
【００１２】
本発明の第２目的を達成するための液晶表示装置は、前記の面光源装置と、前記面光源装置から出射される光を利用して映像を表示する液晶表示パネル及び前記面光源装置と前記液晶表示パネルを収納する収納容器を含む。
【００１３】
このような面光源装置及びこれを有する液晶表示装置によると、放電領域の間の相互干渉によって発生する偏流現象を除去して発光特性を向上させ、表示品質を向上させることができる。
【発明を実施するための最良の形態】
【００１４】
以下、添付した図面を参照して本発明の望ましい実施例をより詳細に説明する。
図１は、本発明の一実施例による面光源装置を示した部分切開斜視図であり、図２は、図１のＡ−Ａ’に沿って見た断面図である。
図１及び図２を参照すると、本発明の一実施例による面光源装置１００は、光源本体２００、空間分割部材３００、第１電極４００ａ、４００ｂ及び第２電極５００を含む。
【００１５】
光源本体２００は、第１基板２１０、第１基板２１０と所定間隔をおいて対向配置された第２基板２２０及び第１基板と第２基板との外郭の間に配置され、放電空間を形成する密封部材２３０を含む。
【００１６】
第１及び第２基板２１０、２２０は、可視光線は透過させ、紫外線は遮断するガラス基板である。第１基板２１０の厚さは第２基板２２０の厚さの約１/３程度であることが望ましい。密封部材２３０は、第１及び第２基板２１０、２２０の外郭の間を密封して放電空間を形成する。
【００１７】
空間分割部材３００は、光源本体２００の放電空間内に配置され、前記放電空間を複数の放電領域２４０に区分するために少なくとも一つ以上が互いに平行に等間隔に配置される。ここで、空間分割部材３００は、第１基板２１０と第２基板２２０に上下部が密着される。一方、密封部材２３０は、空間分割部材３００と互いに異なる材質で構成されることができるが、空間分割部材３００の形成時、同じ材質で形成されることもできる。
【００１８】
第１電極４００ａ、４００ｂは、空間分割部材３００の長手方向に垂直な第１方向に光源本体２００の両側部に形成される。本実施例で、第１電極４００ａ、４００ｂは、第２基板２２０の外側表面にのみ形成されるが、第１基板２１０の外側表面にも形成されることができる。第１電極４００ａ、４００ｂには外部から流入される放電電圧が印加され、印加された放電電圧によって放電空間内にプラズマを発生させる。
【００１９】
第２電極５００は、第２基板２２０の外側表面に空間分割部材３００の長手方向と平行な第２方向に形成される。また、第２電極５００は、各放電領域２４０に対応して二つ以上が配置され、前記第２方向にそって同じ間隔に配列される。ここで、第２電極５００は、シルバーペースト（Ａｇ  ｐａｓｔｅ）又はアルミニウムテープなどの導電性物質で形成される。第２電極５００は、電源が印加されないフローティング（ｆｌｏａｔｉｎｇ）状態を有する電極である。
【００２０】
このように形成された第２電極５００は、第１電極４００ａ、４００ｂに印加された放電電圧によって発生されたプラズマを各放電領域２４０に進行するようガイドする。また、各放電領域２４０に形成された第２電極５００の間に発生されるプラズマによって、放電開始電圧を低下することができる。これに対する詳細な説明は、以後の図５乃至図８を参照してより詳細に説明する。
【００２１】
一方、本発明の一実施例による面光源装置１００は、第１及び第２基板２１０、２２０の互いに向い合う対向面にそれぞれ形成された第１及び第２蛍光層２６０、２７０を更に含む。第１及び第２蛍光層２６０、２７０は、空間分割部材３００が配置された領域を除いて第１及び第２基板２１０、２２０の対向面のそれぞれに薄い膜の形態で形成される。このような第１及び第２蛍光層２６０、２７０は、放電空間内のプラズマによって発生された紫外線を可視光線に変更する。
【００２２】
また、面光源装置１００は、第２基板２２０と第２蛍光層との間に形成される反射層２８０を更に含むことができる。反射層２８０は、第１及び第２蛍光層２６０、２７０によって発生された可視光線のうち、第２基板２２０に向かう可視光線を第１基板２６０側に反射させる。
【００２３】
また、面光源装置１００は、第１基板２１０と第１蛍光層２６０との間及び第２基板２２０と反射層２８０との間にそれぞれ形成される保護層（図示せず）を更に含むことができる。前記保護層は、第１及び第２基板２１０、２２０と放電空間に注入される放電ガスの主成分である水銀との化学的反応を防止する。
【００２４】
図３は、図１に図示された面光源装置の第２電極の配置を図示した平面図であり、図４は、図３に図示された第２電極の他の実施例を図示した平面図である。
【００２５】
図３を参照すると、第２電極５００は、互いに隣接した空間分割部材３００の間に形成され、最外郭に配置される第２電極５００は、空間分割部材３００と密封部材２３０との間に形成される。
【００２６】
第２電極５００は、各放電領域２４０ごとに二つずつ形成される。各放電領域２４０に対応して形成される二つの第２電極５００ａ、５００ｂのそれぞれは、空間分割部材３００の長手方向に平行な第２方向に延長される帯形状で形成され、二つの第２電極５００ａ、５００ｂは、前記第２方向に第１距離（ｄ１）の分だけ離隔されて配列される。また、それぞれの第２電極５００ａ、５００ｂは、第１電極４００ａ、４００ｂと第２距離（ｄ２）の分だけ離隔されて形成される。第１距離（ｄ１）と第２距離（ｄ２）は、互いに異なることができるが、同じように形成されることが望ましい。
【００２７】
第２電極５００ａ、５００ｂは、互いに隣接した空間分割部材３００の間の中央部又は空間分割部材３００と密封部材２３０との間の中央部に配置される。即ち、第２電極５００ａ、５００ｂは、隣接した二つの空間分割部材３００とそれぞれ第３及び第４距離（ｄ３，ｄ４）の分だけ離隔されるように配置される。ここで、第３距離（ｄ３）と第４距離（ｄ４）は同じである。
【００２８】
また、各放電領域２４０ごとに二つずつ配置される第２電極５００ａ、５００ｂは、両側部に形成される第１電極４００ａ、４００ｂの間の仮想の中央ライン（ＣＬ）を基準に対称構造を有するよう形成される。
【００２９】
図４を参照すると、本発明の他の実施例による第２電極５１０は、各放電領域２４０ごとに四つの第２電極５１０ａ、５１０ｂ、５１０ｃ、５１０ｄが形成される。
【００３０】
四つの第２電極５１０ａ、５１０ｂ、５１０ｃ、５１０ｄは、それぞれ第５距離（ｄ５）、第６距離（ｄ６）及び第７距離（ｄ７）ずつ離隔されて並んで配置される。ここで、第５乃至第７距離（ｄ５、ｄ６、ｄ７）は、同じ距離で形成されることが望ましい。
【００３１】
第１電極４００ａ、４００ｂと隣接して配置される第２電極５１０ａ、５１０ｂは、それぞれ第１電極４００ａ、４００ｂと第２距離（ｄ２）の分だけ離隔されて配置される。第２距離（ｄ２）は、第５乃至第７距離（ｄ５、ｄ６、ｄ７）と異なることができるが、同じように形成されることが望ましい。
【００３２】
また、第２電極５１０ａ、５１０ｂ、５１０ｃ、５１０ｄは、互いに隣接した空間分割部材３００の間の中央部又は空間分割部材３００と密封部材２３０との間の中央部に配置される。第２電極５１０ａ、５１０ｂ、５１０ｃ、５１０ｄは、両側部に形成される第１電極４００ａ、４００ｂの間の仮想の中央ライン（ＣＬ）を基準に対称構造を有するように形成される。
【００３３】
図５乃至図８は、図３に図示された面光源装置の動作を説明するための概念図である。
【００３４】
図５乃至図８を参照すると、第２基板２２０の両側部には第１電極４００ａ、４００ｂが互いに離れて形成され、放電空間には放電を手伝うための放電ガス（図示せず）が存在する。前記放電ガスは、水銀（Ｈｇ）、ネオン（Ｎｅ）などを含み、放電電圧を低下させるペニング効果（Ｐｅｎｎｉｎｇ  ｅｆｆｅｃｔ）を得るために妙量のアルゴン（Ａｒ）、クリプトン（Ｋｒｙｐｔｏｎ）、キセノン（Ｘｅｎｏｎ）などを更に含むことができる。
【００３５】
このような状態で、第１電極４００ａ、４００ｂには、外部のインバータ６００から発生された放電開始電圧が印加される。一例として、一側の第１電極４００ａには１〜２ｋＶの交流電圧が印加され、他の一側の第１電極４００ｂには前記一側の第１電極４００ａに印加された交流電圧と同じ電圧値を有するが、位相が反対である交流電圧が印加される。
【００３６】
第１電極４００ａ、４００ｂに印加された前記放電開始電圧によって、第１電極４００ａ、４００ｂに隣接した放電空間にはそれぞれ第１及び第２プラズマ６１０ａ、６１０ｂが発生される。即ち、前記放電開始電圧によって、第１電極４００ａ、４００ｂと隣接した領域に存在する前記放電ガスは一定の電荷量を有するプラズマ状態に変形される。
【００３７】
その後、第１電極４００ａ、４００ｂ部位から発生された第１及び第２プラズマ６１０ａ、６１０ｂは、時間が経つことによって、図６に図示されたように、放電空間内部に広がる。第１及び第２プラズマ６１０ａ、６１０ｂが第２電極５００ａ、５００ｂが配置された領域まで拡張されると、第２電極５００ａ、５００ｂには電圧が誘起される。即ち、一定誘電率を有する第２基板２２０を間において導電体的な性質を有する第１及び第２プラズマ６１０ａ、６１０ｂと第２電極５００ａ、５００ｂが配置されるので、一種のキャパシタ結合を形成するようになる。従って、第１及び第２プラズマ６１０ａ、６１０ｂが有する電荷量によって、二つの第２電極５００ａ、５００ｂのそれぞれには電圧が誘起される。
【００３８】
二つの第２電極５００ａ、５００ｂのそれぞれに電圧が誘起されることによって、図７に図示されたように、二つの第２電極５００ａ、５００ｂが隣接される領域には第３プラズマ６１０ｃが発生する。その後、時間が経つことによって、図８に図示されたように、第１及び第２プラズマ６１０ａ、６１０ｂは、放電領域２４０の中央部に向かって拡張され、第３プラズマ６１０ｃは、放電領域２４０の中央部から両側部の方向に拡張される。
【００３９】
このように、第２電極５００ａ、５００ｂは、各放電領域２４０の中央部に別途の第３プラズマ６１０ｃを発生させ、放電開始時間を短縮し、各放電領域２４０の間に発生する可能性がある偏流現象を除去させる。
【００４０】
一方、本発明の一実施例による面光源装置は、多様な形態の空間分割部材を含むことができる。
【００４１】
図９は、図１に図示された面光源装置の空間分割部材の配置を図示した平面図であり、図１０は、図９に図示された空間分割部材の他の実施例を図示した平面図である。
【００４２】
図９を参照すると、空間分割部材３００は、前記の第１基板２１０と第２基板２２０との間に少なくとも一つ以上が介在されて、第１基板２１０及び第２基板２２０との間に形成された放電空間を複数の放電領域２４０に分割する。空間分割部材３００は、第１基板又は第２基板２２０に形成されることができるが、本実施例では、第２基板２２０に形成される。
【００４３】
複数の空間分割部材３００は、第２方向に沿って第８距離ｄ８の分だけ離隔され配置される。各空間分割部材３００は、 第１長さ（Ｌ１）を有する棒の形状で形成される。第１長さ（Ｌ１）は、密封部材２３０の第１内側面２３２と第２内側面２３４との間に形成された第１幅（Ｗ１）よりは短い。各空間分割部材３００は、第１内側面２３２と向い合う第１端部３００ａ及び第２内側面２３４と向い合う第２端部３００ｂを有する。
【００４４】
前記放電空間内に存在する放電ガスが各放電領域２４０に均一に分布されるために、複数の空間分割部材３００は、蛇行形状（ｓｅｒｐｅｎｔｉｎｅ  ｓｈａｐｅ）で配置される。即ち、複数の空間分割部材３００は、密封部材２３０の第３内側面２３６を基準として、ｎ番目の空間分割部材（但し、ｎは奇数）３１０及びｎ＋１番目の空間分割部材（但し、ｎは奇数）３２０で構成される。
【００４５】
ｎ番目の空間分割部材３１０の第１端部３００ａは、密封部材２３０の第１内側面２３２と第９距離（ｄ９）の分だけ離隔され、第２端部３００ｂは、密封部材２３０の第２内側面２３４と連結される。
【００４６】
ｎ＋１番目の空間分割部材３２０は、ｎ番目の空間分割部材３１０の間に配置される。ｎ＋１番目の空間分割部材３２０の第１端部３００ａは、密封部材２３０の第１内側面２３２と連結され、第２端部３００ｂは、密封部材２３０の第２内側面２３４と第１０距離（ｄ１０）の分だけ離隔される。
【００４７】
従って、ｎ番目の空間分割部材３１０の第１端部３００ａと密封部材２３０の第１内側面２３２との間に形成される連結通路及びｎ＋１番目の空間分割部材３２０の第２端部３００ｂと密封部材２３０の第２内側面２３４との間に形成される連結通路を通じて、前記放電空間内に存在する放電ガスは、各放電領域２４０に均一に分布される。
【００４８】
一方、図１０に図示された空間分割部材は、配置構造を除いては図９に図示された空間分割部材と同じなので、同じ名称及び図面符号を用い、重複された詳細な説明は省略する。
【００４９】
図１０を参照すると、他の実施例による空間分割部材３００は、図９に図示された空間分割部材３００と同じく、密封部材２３０の第３側面２３６を基準として、ｎ番目の空間分割部材（但し、ｎは奇数）３１０及びｎ＋１番目の空間分割部材（但し、ｎは奇数）３２０で構成される。ここで、ｎ番目の空間分割部材３１０は、図９と同じ構造を有する。
【００５０】
しかし、ｎ＋１番目の空間分割部材３２０は、ｎ番目の空間分割部材３１０と同じ構造で配置される。即ち、ｎ＋１番目の空間分割部材３２０の第１端部３００ａは、密封部材２３０の第１内側面２３２と第１０距離（ｄ１）の分だけ離隔され、第２端部３００ｂは、密封部材２３０の第２内側面２３４と連結される。従って、各放電領域２４０を連結する連結通路は密封部材２３０の第１内側面２３２側には形成され、第２内側面２３４側は全部閉めている構造を有する。
【００５１】
一方、図９及び図１０に図示された空間分割部材の配置構造の他にも、空間分割部材３００の第１及び第２端部３００ａ、３００ｂが密封部材２３０の第１及び第２内側面２３２、２３４と離隔されるように形成されることができる。また、空間分割部材３００の第１及び第２端部３００ａ、３００ｂが密封部材２３０の第１及び第２内側面２３２、２３４と全部連結され、空間分割部材３００の一部領域に連結通路を形成することもできる。
【００５２】
図１１は、図１の面光源装置を光源とする液晶表示装置を図示した分解斜視図である。
【００５３】
図１１を参照すると、液晶表示装置１０００は、面光源装置１００、ディスプレイユニット７００及び収納容器８００を含む。本実施例に採用された面光源装置１００は、図１に図示された面光源装置と同じであるので、その重複された説明は省略する。
【００５４】
ディスプレイユニット７００は、映像を表示する液晶表示パネル７１０、液晶表示パネル７１０を駆動するための駆動信号を提供するデータ及びゲート印刷回路基板７２０、７３０を含む。データ及びゲート印刷回路基板７２０、７３０は、データテープキャリアパッケージ（Ｔａｐｅ  Ｃａｒｒｉｅｒ  Ｐａｃｋａｇｅ；以下ＴＣＰと称する）７４０及びゲートＴＣＰ７５０を通じて液晶表示パネル７１０と電気的に連結される。
【００５５】
液晶表示パネル７１０は、薄膜トランジスタ（ＴＦＴ）基板７１２、ＴＦＴ基板７１２と対向して結合されるカラーフィルター基板７１４及び前記両基板７１２、７１４の間に介在された液晶７１６を含む。
【００５６】
ＴＦＴ基板７１２は、スイッチング素子であるＴＦＴ（図示せず）がマトリクス形態で形成された透明なガラス基板である。前記ＴＦＴのソース及びゲート端子にはそれぞれデータ及びゲートラインが連結され、ドレイン端子には透明な導電性材質からなった共通電極（図示せず）が形成される。
【００５７】
カラーフィルター基板７１４は、色画素であるＲＧＢ画素（図示せず）が薄膜工程によって形成された基板である。カラーフィルター基板７１４には透明な導電性材質からなった共通電極（図示せず）が形成される。
【００５８】
収納容器８００は、底面８１０及び底面８１０のエッジ部に収納空間を形成するために形成された複数の側壁８２０で構成される。収納容器８００は、面光源装置１００及び液晶表示パネル７１０が移動されないよう固定させる。
【００５９】
底面８１０は、面光源装置１００が装着されるのに十分な底面面積を有し、面光源装置１００と同じ形状を有することが望ましい。本実施例で、底面８１０は、面光源装置１００と同じく四角プレート形状を有する。側壁８２０は、面光源装置１００が外部に離脱されないよう底面８１０のエッジ部から垂直に延長される。
【００６０】
本発明の一実施例による液晶表示装置１０００は、インバータ６００及びトップシャーシ９００を更に含む。
【００６１】
インバータ６００は、収納容器８００の外部に配置され、面光源装置１００を駆動するための放電電圧を発生させる。インバータ６００から発生された放電電圧は、第１及び第２電源印加線６３０、６４０を通じて面光源装置１００に印加される。第１及び第２電源印加線６３０，６４０は、面光源装置１００の両側部に形成された第１電極４００ａ、４００ｂにそれぞれ連結される。ここで、第１及び第２電源印加線６３０、６４０は、第１電極４００ａ、４００ｂに直接連結されることができるが、別の連結部材（図示せず）を利用して第１電極４００ａ、４００ｂに連結することができる。
【００６２】
トップシャーシ９００は、液晶表示パネル７１０のエッジ部を囲みながら収納容器８００に結合される。トップシャーシ９００は、外部衝撃に対する液晶表示パネル７１０の破損を防止し、液晶表示パネル７１０が収納容器８００から離脱されることを防止する。
【００６３】
一方、液晶表示装置１０００は、面光源装置１００から出射される光の特性を向上させるための少なくとも一枚の光学シート９５０を更に含むことができる。光学シート９５０は、光の拡散のための拡散シート又は光の集光のためのプリズムシートを含むことができる。
【産業上の利用可能性】
【００６４】
このような面光源装置及びこれを有する液晶表示装置によると、各放電領域に対応して形成される第２電極によって、放電領域の間の相互干渉によって発生される偏流現象を除去して発光特性を向上させることができる。
【００６５】
また、第２電極による別のプラズマ発生によって、放電開始電圧を低下することができ、放電開始時間を短縮させることができる。
【００６６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６７】
【図１】本発明の一実施例による面光源装置を示した部分切開斜視図である。
【図２】図１の Ａ−Ａ’に沿って見た断面図である。
【図３】図１に図示された面光源装置の第２電極の配置を図示した平面図である。
【図４】図３に図示された第２電極の他の実施例を図示した平面図である。
【図５】図３に図示された面光源装置の動作を説明するための概念図である。
【図６】図３に図示された面光源装置の動作を説明するための概念図である。
【図７】図３に図示された面光源装置の動作を説明するための概念図である。
【図８】図３に図示された面光源装置の動作を説明するための概念図である。
【図９】図１に図示された面光源装置の空間分割部材の配置を図示した平面図である。
【図１０】図９に図示された空間分割部材の他の実施例を図示した平面図である。
【図１１】図１の面光源装置を光源にする液晶表示装置を図示した分解斜視図である。
【符号の説明】
【００６８】
１００    面光源装置
２００    光源本体
２１０    第１基板
２２０    第２基板
２３０    密封部材
２３２    第１内側面
２３４    第２内側面
２３６    第３内側面
２４０    放電領域
２６０    第１蛍光層
２７０    第２蛍光層
２８０    反射層
３００    空間分割部材
３１０    ｎ番目の空間分割部材
３２０    ｎ＋１番目の空間分割部材
４００ａ、４００ｂ    第１電極４００ａ、４００ｂ
５００、５１０    第２電極
６００    インバータ
６１０ａ    第１プラズマ
６１０ｂ    第２プラズマ
６１０ｃ    第３プラズマ
６３０    第１電源印加線
６４０    第２電源印加線
７００    ディスプレイユニット
７１０    液晶表示パネル
７１２    ＴＦＴ基板
７１４    カラーフィルター基板
７１６    液晶
７２０    データ印刷回路基板
７３０    ゲート印刷回路基板
７４０    データＴＣＰ
７５０    ゲートＴＣＰ
８００    収納容器
８１０    底面
８２０    側壁
９００    トップシャーシ
９５０    トップシャーシ
１０００    液晶表示装置
【図１】
2005142152.tif 000003
【図２】
2005142152.tif 000004
【図３】
2005142152.tif 000005
【図４】
2005142152.tif 000006
【図５】
2005142152.tif 000007
【図６】
2005142152.tif 000008
【図７】
2005142152.tif 000009
【図８】
2005142152.tif 000010
【図９】
2005142152.tif 000011
【図１０】
2005142152.tif 000012
【図１１】
2005142152.tif 000013